(57)【要約】      （修正有）【課題】グラビア印刷は、ドクター刃の摩耗により各種の品質不良を発生するだけでなく、品質維持のための煩雑な作業がもとめられる。ドクター刃の摩耗を少なくするグラビア印刷版を見出す。【解決手段】ドクター刃の摩耗を少なくするために、平行四辺形のセルＡを形成する土手１、４を含む１画素の形状が４辺からなる平行四辺形で、該1画素の２辺に沿って土手幅が異なる土手１、４を設け、ドクター刃がセルＡをまたぐ幅を狭くし、ドクター刃の摩耗を少なくする土手とインキをセルＡに留める土手の役割に分け、更に土手に溝６を設けインキレベリングを良好にする。【選択図】図４
2019064245.tif 000002
【特許請求の範囲】
【請求項１】
ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記直線状に連なる土手を挟む１００％濃度部から５０％濃度部より選択された範囲の画線部となる  ２個のセルが溝により連結され、該溝が前記1画素の直線状に連なる土手に一箇所以上設けられており、前記直線状に連なる土手と交差する土手は、該直線状に連なる土手の土手幅未満の土手幅で任意の角度で設けられており、前記画線部となるセルが形成されていることを特徴とするグラビア印刷版。
【請求項２】
ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記1画素の直線状に連なる土手においては、該直線状に連なる土手の幅方向の中央部に任意の形状の溝が一箇所以上設けられ、前記直線状に連なる土手と交差する土手は、該直線状に連なる土手の土手幅未より狭い土手幅で任意の角度で設けられていることを特徴とするグラビア印刷版。
【請求項３】
ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記1画素の直線状に連なる土手と交差する土手が鋭角に交わる２カ所において、土手交点部近傍の土手形状を任意に変え、前記土手交点部近傍の腐食不足により形成されるセル形状を平行四辺形に近くしたこと、又は平行四辺形の鋭角部に土手交点の中心部に向かう溝を設けたこと、更には前記２点を併用したことを特徴とするグラビア印刷版。
【請求項４】
前記各画素を通る直線状に連なる土手に交差する土手には、前記直線状に連なる土手との間に隙間が設けられ、該隙間により交差する土手の幅は９０％から７０％の幅とし、更に該交差する土手は任意の形状で、前記画線部となるセルが形成されていることを特徴とする請求項１、請求項２、及び請求項３のグラビア印刷版。
【請求項５】
前記直線状に連なる土手の線数が１インチ間に１００線から３００線で、前記直線状に連なる土手幅とセル幅の線比は１対２から１対６で、前記直線状に連なる土手と交差する土手の土手幅は前記直線状に連なる土手の土手幅の０．１倍から１倍未満で、前記直線状に連なる土手に直交する１画素ピッチに対して前記交差する土手のピッチが０．５倍から５倍の１画素ピッチであることを特徴とする請求項１、請求項２、請求項３、又は請求項４のグラビア印刷版。
【請求項６】
ダイレクト網グラビア印刷版の版面に設けられる画線部となるセルにおいて、該セルの形状又は該セルを形成する土手を含む１画素の形状が４辺からなる２辺の交わる長さが等しい正方形又は円周方向に土手交点の鋭角部を持つ菱形で、前記セルを形成する土手を含む1画素の交差する２辺に沿って土手は設けられ、前記1画素の土手が交わる円周方向に位置する２カ所の土手交点部近傍の土手形状を任意に変え前記土手交点部近傍の腐食不足により形成されるセル形状を前記正方形又は前記菱形に近い形状に若しくは土手交点部を土手が交わる中心部に向かい伸ばした形状にすること、及び前記1画素の土手が交わるグラビア印刷版の幅方向に位置する２カ所の土手交点部近傍の土手形状を任意に変え前記土手交点部近傍のセル幅を狭くすることの何れか一方又は両方を設けることを特徴とするグラビア印刷版。
【請求項７】
請求項１から６の何れかに記載のダイレクト網グラビア印刷版の版面に設けられる１画素を構成する画線部となるセル及び非画線部となる土手において、変化する画像の濃度情報をダイレクト網グラビア印刷版の網点の濃度情報に変換するために、１００％濃度から５０％濃度の範囲以内で同一の溝幅を有する画線部となる溝を前記土手に形成するに際し、又は前記画像の濃度によるセルサイズの変化に対応させて前記溝幅のサイズを変化させた溝を前記土手に形成するに際し、前記一画素内からはみでる前記溝の部分を、１画素内の前記土手内に分散させることを特徴とする網点の作成方法。
【発明の詳細な説明】
【技術分野】
【０００１】
本発明は、グラビア印刷版に設けられるセル形状に特徴を有するグラビア印刷版に関する。
【背景技術】
【０００２】
グラビア印刷（凹版印刷方式の一つ印刷方式）に使用されるグラビア版は、過去はコンベンショナル方式と呼ばれた方法で製造されていたが、現在は銅メッキ層を形成した印刷シリンダーの表面をダイアモンド針で彫刻して凹部（以下、セルと呼ばれる通称名称と言う）を形成する電子彫刻グラビア印刷版、又は銅メッキ層を形成した印刷シリンダーの表面に感光樹脂膜を塗布し、土手（セルを囲む腐食されない銅メッキ部分）となる部分をレーザーで露光硬化させ未硬化部を除去した後、銅メッキを腐食しセルを形成するダイレクト網グラビア版により、グラビア印刷版（セルを形成した後は耐刷性を持たせるために銅メッキ層に6から１２ミクロンのクロムメッキ層が設けられる）が製造されている。
【０００３】
コンベンショナル方式で、グラビア印刷版を製造する工程は、カーボンティッシュと呼ばれたゼラチンを主成分とする感光膜に９０度に透明な線が交差するスクリーンフィルムを焼き付け、更に絵柄となるポジフィルムを焼き付けた後、グラビア版の銅メッキ表面に露光面を転写した後、現像し次の腐食液を感光膜に含侵腐食することで印刷絵柄を形成するセル（凹部）を製造していた。ここで用いられた、スクリーンフィルムの形状が、現在のダイレクト網グラビア版にも引き継がれてきた。
【０００４】
画像を表現する一画素（１７５線の場合は１４５ミクロン×１４５ミクロン）が荒いグラビア印刷方式においては、三原色を４５度の角度で直交する同じスクリーン角度でグラビア版を作成するとモワレと言われるハレーションが発生するため、この現象が画像に出ないように、各色のスクリーンの角度を１５度から３０度変える事で対処してきた。
【０００５】
また、従来の正四角形を４５度傾けてグラビア印刷版に設けるセルを、亀甲版と呼ばれる正六角形を積み重ねたセル形状のグラビア版も使用されるようになっている。
【０００６】
いずれにおいても、調子柄を再現するグラビア版は、一定の線数を使用しスクリーンの角度を、先に記述したように変更（スクリーン角度を振る）して製造されるものである。一般的にグラビア印刷に使用される線数は、１７５線／インチであり、細かな文字などの場合は、２００線／インチが、濃度が必要なベタ柄（調子柄のないもの）などにおいて１５０線／インチのスクリーンが使用されることが有る。
【０００７】
また、これらの線数において、線比と呼ばれる土手となる部分とセルとなる部分の幅の比は、１対３、１対３．５、１対４，１対５などの比率で１画素が構成されている。
【０００８】
異なる、グラビア印刷版の製造方法として、ダイアモンド針で銅メッキ層を連続彫刻しセルを形成する電子彫刻方式がある。この方式で形成されるセルの形状は、四角形に近い形状から、四角形を細長くしたダイア形状のまで、使用するダイアモンド針の先端角度の交換により変更している。この形状の組み合わせで印刷時のモワレに対処している。
【０００９】
電子彫刻方式においても、調子柄を再現するグラビア版は、一定の線数を使用し、先に記述したように形状変更（ダイアモンド針に先端角度を変更する）して製造されるものである。一般的にグラビア印刷に使用される線数は、７０線／ｃｍであり、細かな文字などの場合は、８０線／ｃｍが、濃度が必要なベタ柄（調子柄のないもの）などにおいて６０線／ｃｍ又はこれ以上に荒い線数でグラビア印刷版が製造される。
【００１０】
これらの従来製造されるグラビア印刷版は、先に記載した何れの方式においても印刷される絵柄の再現性に重点がおかれたものであった。
【００１１】
このようにして製造されたグラビア印刷版は、グラビア印刷機でインキを塗布され、余分なインキはドクターで除去し、グラビア印刷版に設けられたセルのインキが充填され、該インキが被印刷物にニップ圧胴より圧接されることで転写され印刷は完了する。
【００１２】
従来グラビア印刷版においては、汎用的な直線の土手が直角に交差するセル形状又は亀甲状などの左右対称のセル形状で形成され、セルを囲む土手に関してはセルを形成するためにセルを囲む役割であり、個々の土手に対して役割が異なるものではなかった。なぜ本発明のような変形セルの形状が考えられ実用化されなかったのかは、下記２項目の固定概念によるものと考えてよいと思われる。
１、直交する等間隔の土手でセルを形成する、又は左右対称のセル形状で形成するとの固定概念が有ったためだと思われる。
２、グラビア印刷版の製造方法の革新は意匠性の向上を目的としていたために、セルは正方形が良いとの固定概念、及びグラビア印刷の印刷安定性の向上にセル形状及びセルと土手の幅が影響することに対するとの発想がなかったためと思われる。
【先行技術文献】
【特許文献】
【００１３】
先行の特許文献調査を行ったが、セル形状及びドクター摩耗を防止するセル形状及びセルに設けられる土手に異なる働きを付与する特許はなかった。
【発明の概要】
【発明が解決しようとする課題】
【００１４】
グラビア印刷版に塗布されたインキを、ドクター刃で掻き落とすことにより、グラビア版に設けたセルにインキを充填し被印刷物に転写することでグラビア印刷は行われるが、ドクター刃はグラビア印刷版に加圧されているためドクター刃は摩耗する。ドクター刃の摩耗少なくするセルの形状を検討し、グラビア印刷版の新たなセルの形状を設けることによりドクター刃の摩耗を少なくし、耐刷性の向上を図りドクター刃の摩耗防止による印刷品質安定を向上し、またセル間のインキのレベリングを向上するために土手の一部に画線部を設け被印刷物へのインキ転写均一性が向上するグラビア印刷版を提供することを課題とする。
【課題を解決するための手段】
【００１５】
本発明は、ドクター刃の摩耗を少なくするために、平行四辺形のセルを形成する土手を含む１画素の形状が４辺からなる平行四辺形で、該1画素の交差する２辺に沿って土手は設けられ、画素間において対向して設けられる土手の一つは、各画素を通る直線状に連なる土手を形成しており、該直線状に連なる土手は、ドクター刃の加圧を受け止める土手であり土手幅を広くすることが望まれるが、広くすることによりセル間のインキの交わりを阻害することになる為、該直線状に連なる土手に溝を設け少量のインキを転写することができる溝を設けることで、該溝により転写されたインキを介して隣り合うセルのインキが混じり合いインキレベリングを良好にするものである。
【００１６】
ドクター刃の摩耗を少なくし、インキレベリングをよくする直線状に連なる土手として、次の本第１発明から本第３発明の３形状の直線状に連なる土手から選択することができる。
【００１７】
本第１発明のグラビア印刷版は、ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記直線状に連なる土手を挟む１００％濃度部から５０％濃度部より選択された範囲の画線部となる２個のセルが溝により連結され、該溝が前記1画素の直線状に連なる土手に一箇所以上設けられており、前記直線状に連なる土手と交差する土手は、該直線状に連なる土手の土手幅未満の土手幅で任意の角度で設けられており、前記画線部となるセルが形成されていることを特徴とする。
【００１８】
直線状に連なる土手に設ける溝は、１５ミクロンから６０ミクロンの幅で、深さは１ミクロンから１５ミクロンの範囲であればよい。該溝を形成するには、腐食により設けるセルの版深によっても異なるが、直線状に連なる土手に設ける画線部の溝の幅は１０ミクロンから５５ミクロンの範囲より選択し目標の溝を形成することができる。
【００１９】
ここで直線状に連なる土手に溝を形成するために、直線状に連なる土手に設ける画線部の幅は１０ミクロンから３５ミクロンの範囲と狭いため、該部分での腐食において新鮮な腐食液との交換は少なく溝の深さは、セル部の深さと比較して浅いものとなる。
【００２０】
尚、本第１発明で直線状に連なる土手に設ける溝は、直線状に連なる土手幅、により任意に選択できるもので有り、溝の幅は１００％濃度のセル形状に対し、印刷濃度を淡くするために％濃度が低くなればセル形状は小さくなるが、溝の幅においても相似形に小さくすることで、設けられる溝は溝幅は狭く、溝の深さも浅くなり所望の濃度％で溝はインキを転写しなくなりレベリンの効果は低下する。任意の設ける１００％濃度部で溝幅及び溝深さにより、直線状に連なる土手に挟まれたセルに転移したインキのインキレベリングを何％濃度部の領域まで可能にするかを選択すればよい。
【００２１】
また溝部分の腐食による溝深さ・サイドエッチングの幅は、腐食液の液温度、腐食液の液組成、腐食液の吹き付け圧力などにより異なるため、これらの状況により直線状に連なる土手に設ける画線部の溝の幅を選択すればよい。
【００２２】
また、直線状に連なる土手に設ける溝により隣接するセルのインキを交わらせ、レベリングを良好にすることで、絵柄の濃色部での意匠性を高めるための溝でありグラビア印刷版に設けられる１００％濃度部から５０％濃度部の範囲内でインキの転写ができる溝を形成すればよい。好ましくは１００％濃度部から７０％濃度部の範囲で隣接するセルにインキの転写ができる溝が形成されればよい。
【００２３】
本第２発明のグラビア印刷版は、ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記1画素の直線状に連なる土手においては、該直線状に連なる土手の幅方向の中央部に任意の形状の溝が一箇所以上設けられ、前記直線状に連なる土手と交差する土手は、該直線状に連なる土手の土手幅未より狭い土手幅で任意の角度で設けられていることを特徴とする。
【００２４】
直線状に連なる土手の中央部に設ける溝は、１００％濃度の直線状に連なる土手の土手幅の５０％以下の幅で、幅は１０ミクロンから６０ミクロンの範囲で、深さは１ミクロンから１５ミクロンの範囲であればよい。該溝を形成するには、腐食により設けるセルの版深によっても異なるが、直線状に連なる土手に設ける画線部の幅は５ミクロンから５５ミクロンの範囲より選択し目標の溝を形成することができる。
【００２５】
ここで直線状に連なる土手に溝を形成するために、直線状に連なる土手に設ける画線部の幅は５ミクロンから５５ミクロンの範囲と狭いため、該部分での腐食において新鮮な腐食液との交換は少なく溝の深さは、セル部の深さと比較して浅いものとなる。
【００２６】
また、直線状に連なる土手の中央部に設ける溝により隣接するセルのインキが溝部まで広がることで隣接するセルのインキは交わりレベリングを良好にする。絵柄の濃色部での意匠性を高めるために直線状に連なる土手の中央部に設ける溝でありグラビア印刷版に設けられる１００％濃度部から５０％濃度部の範囲内でインキの転写ができる溝を形成すればよい。好ましくは１００％濃度部から７０％濃度部の範囲において溝を形成すればよい。
【００２７】
直線状に連なる土手と交差する土手が角度を持って交わる交点部においては、腐食によるサイドエッチングの幅は少なく従って該部位に設ける溝の幅は、直線の土手上に設ける幅と比較して広く設けてもよい。また、前記交点部において円形、楕円形等の形状の溝を設けてもよい。また、交点部に設ける円形、楕円形等の形状の溝は、１００％濃度部で設ける溝と同じ大きさの溝を１００％濃度部から５０％濃度部の範囲内の土手の交点部に設ければよい。
【００２８】
本第３発明のグラビア印刷版は、ダイレクト網グラビア印刷版の版面に設けられる画線
部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記1画素の直線状に連なる土手と交差する土手が鋭角に交わる２カ所において、土手交点部近傍の土手形状を任意に変え、前記土手交点部近傍の腐食不足により形成されるセル形状を平行四辺形に近くしたこと、又は平行四辺形の鋭角部に土手交点の中心部に向かう溝を設けたこと、更には前記２点を併用したことを特徴とする。
【００２９】
グラビア印刷版に形成された画素を腐食によりセルとするために、腐食液を使用するが、腐食液の供給交換が良い中央部と比較し画素の四隅は新鮮な腐食液が供給されにくいため、セルの四隅のサイドエッチングは少なくＲ状の形状となる。
【００３０】
本発明の平行四辺形の画素においては、四隅の対角線上に２カ所の鈍角部を有するが、特に鋭角部はサイドエッチングはされにくなり、隣接するセルとの間隔が広くなる。土手幅が広くなるとセル間のインキレベリングを悪くすることになるため、１画素の直線状に連なる土手と交差する土手とが鋭角に交わる近傍の２カ所において土手交点部の形状を変更し、該土手交点部近傍の腐食不足を補い腐食により形成されるセル形状を平行四辺形に近くしたこと、又は平行四辺形の鋭角部に土手交点の中心部に向かう溝を設けた、更には土手交点部の形状を変更し平行四辺形に近くし土手交点の中心部に向かう溝を設けたことで、セル間のインキの交わりを良くしインキレベリングをしやすくするものである。
【００３１】
本発明において、セル形状を平行四辺形に近づけるだけでなく、画素の直線状に連なる土手と交差する土手とが鋭角に交わる部位より土手が交われる中心部に向かって溝を設けてもよい。溝の幅は腐食によりセルを形成した時に近傍の鈍角に交わる土手部分の土手が有り溝とセルが分離されていればよい。該部分の溝は、溝近傍の土手によりドクター刃の加圧を受け止められドクター刃のタワミによる影響を受けることは少ない。
【００３２】
（本発明のグラビア印刷版を作製するための感光膜の形状と作成されたセルの形状は、例えば、深さ２５ミクロンの腐食（腐食深度）では、サイドエッチングにより５ミクロンから１０ミクロン程度感光膜の端下部が腐食されセルは広く、土手は狭くなる。この点を知ったうえで、以下の説明においては、感光膜形状に関しても、セル形状と略同じ形状として説明を加える。ただし、感光膜に関する内容に限定する場合は、感光膜と表現し説明を加えることとする。）
【００３３】
１画素は１つのセルと土手からなるが、一般的に交差する土手の幅が同じ場合は、線数・線比において、線数は土手の端部から次の土手の端部までを持って算出され、線比は土手の幅とセルの幅を持って算出される。本発明においても、１画素は、１画素の交わる２辺に沿って土手を設け、土手を除く部分をセルとして記述をする。ただし、２辺の土手は土手の幅、長さが異なるため直線状に連なる土手についてだけ線数・線比で規定できるが、交差する土手については直線状に連なる土手と比較しての土手幅・土手長さ・ピッチを規定することで１画素の形状を決めるものである。
【００３４】
本発明のダイレクト網グラビア印刷版は、ドクター刃の摩耗を少なくすることでグラビア印刷品質の向上を図ると共に、ドクター刃の使用量を削減しドクター刃の交換頻度を減らし生産効率を高めることができ、且つ従来のグラビア印刷版と同様の印刷濃度が得られると共にインキのレベリングにおいても同様の外観を得ることができるものである。
【００３５】
グラビア印刷版に設けるセルを囲む土手の働きは、ドクター刃の加圧を受け止める働きを主たる働きとする土手と、流動性の高い低粘度な印刷インキをセルに保持しセルにより形成された絵柄を被印刷物に転写する働きを主たる働きとする土手とで構成される。
【００３６】
セルを形成する任意の角度を持って交差する２方向の土手に、別々な働きをする土手としての主たる機能（働き）を付与することで、ドクター刃の摩耗を少ないグラビア印刷版とするものである。
【００３７】
グラビア印刷版としては、第１の土手である１方向の土手は、直線状に連なる土手としグラビア印刷版の円周方向もしくは円周方向から±４５度の角度、好ましくは±３０度の角度の範囲内で設け、該直線状に連なる土手の土手幅を広く形成することでドクター刃の加圧を受け止めるためること、更に直線状に連なる土手の間隔を狭くすることによりドクター刃のセル部分でのタワミを少なくしドクター刃の移動においてもドクター刃のタワミの変化を少なくする働きとするものである。
【００３８】
第１の土手である直線状に連なる土手に交差する土手は、任意の角度で設けることができ、好ましくはグラビア印刷版の円周方向もしくは円周方向から±６０度の角度の範囲内で設ければよい。従って、平行四辺形の鋭角部の角度が円周方向に９０度から４０度程度の角度の範囲で設けられればよい。また、該交差する土手はセルに貯えたインキをセル内に留める働きをするものであり土手の幅は狭い土手でよい。
【００３９】
本発明であるドクター刃の摩耗を少なくするために直線状に連なる土手の土手幅を広くすることセル幅を狭くすることによりインキのレベリング低下を招くが、これを防止するために直線状に連なる土手面に溝を設けることで直線状に連なる土手に隣接するセルのインキの交わりをよくすることができる。該溝の形状として３種の形状より選択すればよい。
【００４０】
更に、第３の発明である、平行四辺形からなる1画素の直線状に連なる土手と交差する土手とが鋭角に交わる２カ所において、土手交点部近傍の土手形状を任意に変え、前記土手交点部近傍の腐食不足を補い腐食により形成されるセル形状を平行四辺形に近づける画素を、第１の発明及び第２の発明に適用してもよい。
【００４１】
溝形状の一つは、直線状に連なる土手に隣接する画線部となる２個のセルを溝で連結することで、直線状に連なる土手に隣接する２個のセルに転写されたインキの交わりを早めインキレベリングをよくする方法である。
【００４２】
溝形状の別な一つは、該直線状に連なる土手の幅方向の中央部に直線状に連なる土手の土手幅の５０％以下の幅で任意の形状の溝を一箇所以上設けることで該溝に転写されたインキを持って、直線状に連なる土手を幅の狭い２筋の土手とすることで、直線状に連なる土手に隣接する２個のセルに転写されたインキの交わりを早めインキレベリングをよくする方法である。  
【００４３】
更なる、溝形状の別な一つは、平行四辺形からなる1画素の直線状に連なる土手と交差する土手とが鋭角に交わる２カ所において、土手交点部近傍の土手形状を任意に変え、前記土手交点部近傍の腐食不足を補い腐食により形成されるセル形状を平行四辺形に近づけることで、又は平行四辺形の鋭角部を土手交点の中心部に向かい溝を延ばすこと、又は中心部を越える領域まで溝を伸ばことで、更には、これらを併用することで、直線状に連なる土手に隣接する２個のセルに転写されたインキの交わりを早めインキレベリングをよくする方法である。    
【００４４】
図を持って本発明の説明を加える。図１から図１３及び図１６から図２８において、図の上下方向をグラビア印刷版の円周方向として示すものである。
【００４５】
図１は、現在汎用的に使用されている１例として１７５線／インチで、線比１対４の1画素図を示す。交差する２辺の土手（Ｂ）は直交するものであり、土手（Ｂ）は交差しておりドクター刃に対しどちらの土手（Ｂ）も同じ働きをするものであり、一般的には版深として２５ミクロン程度の腐食により凹状のセル（Ａ）が形成される、版深方向の腐食だけでなく感光膜が形成されたエッジ部においても１０ミクロン程度の腐食があり（サイドエッチングと呼ばれる。）セル（Ａ）の形状は四隅がＲ部を有する形状となる。腐食後の形状は腐食される版深によってもサイドエッチング部（Ｃ）の状況は異なるが一例として図１に１点破線で示す。
【００４６】
図１の従来のセル形状では、ドクター刃はセルを移動する際にセルの幅に応じてセル底方向にタワミを生ずる。該タワミがセル形状に沿って大きくなること小さくなることを繰り返しドクター刃は土手のエッジ部との間で激しく摩耗するのである。図１にセルの最大幅（３）を白抜両矢印で示す。ドクター刃の摩耗が特に激しいのはドクター刃のタワミが小さくなる方向に移動するときである。
【００４７】
ドクター刃がセルを通過するときにタワミが発生していることは、＜１＞腰の強いドクター刃と弱いドクター刃では、前者の塗布量が多くなることからも分かり、また＜２＞ドクター刃は土手のエッジ部との接触で摩耗しており、タワミがなく版面だけで接触していれば摩耗は少ないと考えてよい。
【００４８】
この様な現象を鑑み、ドクター刃に極力負荷を与えないセルの形状を見出し、該セル形状を形成したものを本発明のグラビア印刷版とするものである。すなわち、ドクター刃のタワミを少なくするためにセルの幅を狭くすること、ドクター刃がセルを移動する時のタワミ状態の変化を少なくすること、及びドクター刃の加圧を受け止める直線状に連なる土手を広くすることの３点を基本とするセル形状を有するグラビア印刷版を本発明は提案するものである。
【００４９】
図２は、本発明の１画素の１例を表す図である。図１の１画素面積、セル（Ａ）面積、土手（Ｂ）面積を同じにして、直線線状の土手（１）の幅（２）を１，１倍強とし、線比を１対３としている。これによりセルの最大幅（３）を図１の５３％弱としてセル部分でのドクター刃のタワミを少なくするようにし、また土手部を移動するドクター刃のタワミ変化を少なくしたものである。セルの最大幅（３）は、ドクター刃がセルを跨ぐ最大の幅を指し、図２の形状において、直線状の土手（１）の角度が変わればセルの最大幅は変わるものである。従って、直線状の土手（１）は、グラビア版の円周方向に対し平行に設けた場合がセルの幅は小さくなり、角度を振ることでセルの幅は広くなるため、グラビア版の円周方向に対し±４５度の範囲、好ましくは±３０度の範囲の角度で設けるとよい。
【００５０】
図２に太黒矢印、太白矢印、グレー色でのマーク、及び拡大図を示しているが、後述する第７発明の説明に使用するものである。以下他の図においてもこれらを含むものが有るが同様である。
【００５１】
直線状に連なるの土手（１）に交差する土手（４）の幅（５）は、直線状のに連なる土手幅（２）の０．４倍とし、幅を狭くしている。これにより、交差する土手（４）はグラビア印刷に使用することで、早期にドクター刃のタワミに沿った形状に摩耗して、ドクター刃の加圧を受け止める機能はなくなりインキをセルに留める機能を主たる機能とするものである。
【００５２】
図２の左下の直線状に連なる土手（１）と交差する土手（４）の交点部分には、細い溝（６）幅の画線部を設けており該部分には微量のインキを保持し、フィルムなどの被印刷物にセルのインキを転写すれば該部分まで素早くインキは広がることで、直線状に連なる土手（１）を挟んだセルのインキが交わり更に全面へのインキレベリングを速くする働きをする。該細い溝（６）幅の画線部のおいては、溝（６）幅を１０ミクロンから５５ミクロンとして、腐食によりセルに形成される版深とはならないが、溝部の版深は１ミクロンから１５ミクロンであれば、微量のインキを転写することができ、セルのから転写されたインキのレベリングは良好なものとなる。図２において、腐食により形成されたサイドエッチング部（Ｃ）を１点破線で示す。
【００５３】
セルを形成する場合、最大版深部はセルの中心部となる。セル面積が大きなセルと小さなセルでは、同じ腐食条件においても最大版深は異なり大きなセルの版深は深くなる。これは、腐食液の交換効率が良くなるためであり、本発明の１０ミクロンから５５ミクロンの幅の画線部（感光膜のない部分）においては、１ミクロンから１５ミクロン程度の溝深さとなるが、これによりインキが転写されればセル部に転写されたインキが溝部のインキを伝ってレベリンを促進することができる。
【００５４】
図１の１画素を配列させた集合図を図３に示す。左右上下対称にセル（Ａ）が規則正しく配列した形状であり土手（Ｂ）の幅は等しくセル（Ａ）は正方形である。
【００５５】
図２の１画素を配列させた集合図を図４に示す。交差する土手（４）を直線状に配列させた集合図が図４である。本発明においては、交差する土手（４）を直線状に配列させる必要はなく任意に規則性を有して配列されれば良い。図５に交差する土手を（４）直線状に配列しない場合の集合図の１例を示す。図５は直線状に連なる土手と交差する土手（４）とが鋭角に交わる近傍より溝を直線状に連なる土手（１）の中央部まで設け、更に直線状に連なる土手（１）と隣接するセル（Ａ）の交差する土手（４）とが鋭角に交わる近傍より溝を直線状に連なる土手（１）の中央部まで設け、直線状に連なる土手（１）の中央部に前記中央部まで伸びた溝（６）に新たな溝（６）を土手の中央部に設けることにより、隣接するセル（Ａ）を溝（６）で連結した形状を示す。  
【００５６】
尚、本発明のセル形状において、平行四辺形と規定しており正方形、長方形も平行四辺形に含むものであり、また、直線状に連なる土手としグラビア印刷版の円周方向もしくは円周方向から±４５度の角度の範囲内で設けるものであり、例えば、正方形で直線状に連なる土手をグラビア印刷版の円周方向から４５度の角度に、交差する土手をグラビア印刷版の円周方向からマイナス４５度の角度に設ければ図１に似た形状となるが、異なる点は、２方向の土手幅が異なり、また土手幅が広い直線状に連なる土手に溝を設けられている点である。
【００５７】
これにより、直線状に連なる土手は土手幅が広くドクター加圧を受け止めドクター刃の摩耗を少なくし、更に隣接するセルを溝で連結することでインキのレベリングを良好にするものである。
【００５８】
図６は、本発明の１画素の別な１例を表す図である。図１の１画素面積、セル（Ａ）面積、土手（Ｂ）面積を同じにして、直線状に連なる土手（１）の幅（２）を１，１倍強とし、線比を１対３としている。これによりセルの最大幅（３）を図１の５３％弱としてセル部分でのドクター刃のタワミを少なくするようにし、また土手部でのドクター刃のタワミ変化を少なくしたものである。
【００５９】
セルを形成する場合、最大版深部はセルの中心部となる。セル面積が大きなセルと小さなセルでは、同じ腐食条件においても最大版深は異なり大きなセルの版深は深くなる。これは、腐食液の交換効率が良くなるためであり、本発明の５ミクロンから５５ミクロンの幅の画線部（感光膜のない部分）においては、１ミクロンから１５ミクロン程度の溝深さとなるが、この溝のインキが転写されればセル部に転写されたインキが溝部のインキと交わってレベリングを促進することができる。
【００６０】
図６の直線状に連なる土手（１）の左下には、中央部に細い溝（６）幅の画線部を設けており該溝で微量のインキを保持し、フィルムなどの被印刷物にセルのインキを転写され隣接するセルのインキが該溝まで達すれば素早く溝に添って広がることで、直線状に連なる土手（１）を挟んだセルのインキが交わり更に全面のレベリングを速くする働きをする。該細い溝（６）幅の画線部のおいては、溝（６）の幅を直線状に連なる土手幅の５０％までの幅としており腐食によりセルに形成される版深とはならないが、微量のインキを転写することができる版深を得ることができれば良い。直線状に連なる土手（１）と交差する土手（４）の交点部分はサイドエッチングが少なくなるため該部分においては、直線状に連なる土手（１）に設ける溝の幅より広くすることができる。１点破線で腐食により形成されたサイドエッチング部（Ｃ）を示す。
【００６１】
ここで、溝（６）の幅を直線状に連なる土手幅の５０％までの幅としたが、５０％の規定は、形成されるセルが１００％濃度の場合であり、１００％濃度以下の濃度においては１００％濃度で設ける溝幅と同等又はそれ以下の溝幅とする。
【００６２】
先にも記載したが、直線状に連なる土手の中央部に設ける溝は、隣接するセルのインキは交わりインキレベリングを良くし、絵柄の濃色部での意匠性を高めるための溝でありグラビア印刷版に設けられる１００％濃度部から５０％濃度部の範囲内で形成すればよい。好ましくは１００％濃度部から７０％濃度部の範囲において隣接するセルに溝が形成されればよい。
【００６３】
または、１００％濃度部が５０％濃度になればセル形状は小さくなるが、土手部に設けた画線部となる溝も同じ比率で、相似に細くなるようにすれば溝のインキが転移する範囲を任意に選択することができる。
【００６４】
図６の１画素を配列させた集合図を図７に示す。交差する土手（４）を直線状に配列させた集合図が図７である。本発明においては、交差する土手（４）を直線状に配列させる必要はなく任意に規則性を有して配列された集合図の場合について、１例を図８に示す。図８においては、直線状に連なる土手（１）の片側だけに交差する土手（４）の交点部分が有るが、片側のサイドエッチングが少なくなるため該部分においては、直線状に連なる土手（１）に設ける溝（６）の幅より広くすることができる。  
【００６５】
図９に、土手が鋭角に交わる交点部のエッチング状態及び該鋭角に交わる交点部の土手形状を変更をした場合のエッチング状態の拡大概念図で示す。
【００６６】
直線状に連なる土手（１）と交差する土手（４）が鋭角に交差する部分（９）は、セル形成のための腐食により太破線で示したセルの端部（１０）となる。鋭角に交差する近傍のおいて直線状に連なる土手（１）に対し隣接するセルとの土手幅が広くなるため、１点破線で示すように交差部近傍の画素の土手幅を予め狭くした形状（１１）にすることで鋭角部のエッチングは細破線で示したセルの端部（１２）のセル形状となり平行四辺形に近づけたセルとなり、セル間のインキレベリングを良好にするものである。
【００６７】
図１０は、図９と比較して鋭角部のセル先端を交点の中心部に向かって伸ばすもので、これによりセル間のインキレベリングを一層良好にするものである。  
【００６８】
更に、図２４は、鋭角部のセル先端を交点の中心部に向い、且つ中心部を越えて溝を設けるものである。該溝は中心部で隣接する画素に設けられる溝と重なる部分（１７）を形成する。重なる部分（１７）を図２４の右の太矢印部に拡大して重なる部分（１７）を黒色塗り潰しで示す。この重なる部分（１７）は感光膜に露光されない部分であり腐食されることとなる。図２４は１００％濃度のセルを形成する画素を示すが、％濃度が小さくなることでセルを形成する画素の形状は相似形で小さくなり重なる部分も小さくなる。従って、重なる部分（１７）を任意に選択することで、直線状に連なる土手に隣接するセルが溝で連結する範囲の％濃度を任意に決めることができ、セル間のインキレベリングの％濃度を選択することができる。
【００６９】
図２５に、図２４の１画素の図を示す。太実線が１画素を示すものであり、土手部は１画素内の２辺に設けられ、セル部は１画素から上部に於いて突出した形状（グレー色に塗り潰した部分）となる。この1画素から突出した部分は1画素内に収まることで1画素が構成されるものであり、突出した部分は左右の鈍角な土手部と下部の鋭角な土手部に分割して組み込まれ、下部の鋭角な土手部においては画線部が重なる部分を有するものである。この点については、後段で図２８を持って詳細な説明を加える。
【００７０】
１画素中の直線状に連なる土手と交差する土手とが鋭角に交わる近傍の２カ所において土手交点部の形状に関して、例として図９、図１０、図２４を示したものであり、これらの形状に制約されるものではない。
【００７１】
図９、図１０、図２４においては、直線状に連なる土手（１）に交差する土手（４）が直線に配置されたセル交点部の拡大概念図を示したが、図１１は、直線状に連なる土手（１）に交差する土手（４）が直線状に配置されない場合の交点部の一例を示す拡大概念図である。
【００７２】
本第４発明は、本第１発明、本第２発明、及び本第３発明のグラビア印刷版において、前記各画素を通る直線状に連なる土手に交差する土手には、前記直線状に連なる土手との間に隙間が設けられ、該隙間により交差する土手の幅は９０％から７０％の幅とし、更に該交差する土手は任意の形状で、前記画線部となるセルが形成されていることを特徴とする。
【００７３】
交差する土手に求められる働きは、インキをセルに閉じ込めることができれば良い。交差する土手が直線状に連なる土手との間に直線状に連なる土手間の５％以上１５％以下の幅の溝を設けても、インキはセルから流れ出ることはなく該溝がない場合と同様の意匠性でグラビア印刷物を得ることができる。
【００７４】
また、交差する土手は、前記直線状に連なる土手との間に隙間が設けられ、サイドエッチングにより土手面が腐食され版面より４ミクロン以内で有れば低くなっても、インキはセルから流れ出ることはなく該隙間がない場合と同様の意匠性でグラビア印刷物を得ることができる。１５０ミクロンのセル幅に、グラビア印刷を行なう汎用的なドクターの加圧によりセル中央部で２ミクロンから３ミクロンのドクター刃先のタワミが発生するものである。
【００７５】
図１２は、本発明の直線状に連なる土手（１）と交差する土手（４）との間に隙間（８）を設けた１画素図である。図１２では、直線状に連なる土手（１）と交差する土手（４）との間に隙間（８）を設け、更に直線状に連なる土手（１）と交差する土手（４）との交点部の交差する土手（４）の形状を変える事で交点部の直線状に連なる土手（１）が腐食され易くすることで直線状に連なる土手（１）の交点部における直線性を高めることができるようにしている。更に、直線状に連なる土手（１）の中央部に溝（６）を設け、インキのレベリング性を高めている。
【００７６】
図１２の１画素を配列させた集合図を図１３に示す。交差する土手（４）を直線状に配列させた集合図が図１３である。
【００７７】
図１４は、図１３の断面及び斜視概念図である。直線状に連なる土手（１）と交差する土手（４）との交点においても直線状に連なる土手（１）のエッジが直線似になるようにしたものである。
【００７８】
図１５は、図１３の直線状に連なる土手（１）に設けている溝（６）を、交差する土手（４）の延長線上に設け、直線状に連なる土手（１）に隣接するセルを溝（６）で連結した断面及び斜視概念図である。また、直線状に連なる土手（１）と交差する土手（４）との交点においても直線状に連なる土手のエッジが直線似になるようにしたものである。
【００７９】
図１６、図１７、図１８に本発明の別な１画素を配列させた集合図を示す。これらの１画素は正方形、長方形（共に平行四辺形の一形状）からなり、２方向の土手を幅の広い土手と幅の狭い土手にしており、土手幅が広いことによるレベリング性の低下を隣接するセルを溝で連結すること、又は幅の広い土手の中央部に溝を設けることで防止するものである。
【００８０】
図２、及び図４から図１８、図２４（図９，１０，１１は交点部の拡大概念図・図１４，１５は断面及び斜視概念図）で本発明のダイレクト網グラビア印刷版に設ける１画素図及び１画素を配列させた集合図を説明をしたが、これらの図に示した形状に限定するものではない。
【００８１】
本第５発明は、本第１発明、本第２発明、本第３発明、又は本第４発明のダイレクト網グラビア印刷版にあって、直線状に連なる土手の線数が１インチ間に１００線から３００線で、前記直線状に連なる土手幅とセル幅の線比は１対２から１対６で、前記直線状に連なる土手と交差する土手の土手幅は前記直線状に連なる土手の土手幅の０．１倍から１倍未満で、前記直線状に連なる土手に直交する１画素ピッチに対して前記交差する土手のピッチが０．５倍から５倍の１画素ピッチであることを特徴とする。
【００８２】
本発明のダイレクト網グラビア印刷版に設けられる前記セルの前記１画素の形状を決めるためには、前記直線状に連なる土手の線数及び直線状に連なる土手幅とセル幅の線比を規定すればドクター刃を支える役目をする直線状に連なる土手の形状が規定できる。
【００８３】
更に直線状に連なる土手に任意の角度で交差する土手については、直線状に連なる土手の土手幅に対し交差する土手の土手幅が何倍の幅であり、直線状に連なる土手の１画素ピッチ（直線状に連なる土手の間隔）に対し交差する土手の１画素ピッチ（直線状に連なる土手に平行な方向における交差する土手の間隔）が何倍のピッチであるかを決めれば、直線状に連なる土手と交差する土手とでセルが形成されインキをセルに保持する土手を規定することができる。ただし、交差する土手については、ドクター刃との接触を少なくするために任意の形状とすることができる。  
【００８４】
図１９は、本発明の１画素図の骨格を１例で示したものであり、角度、線数、線比、土手幅、ピッチについて説明を加える。これらを決めれば、本発明のグラビア印刷版に設けるセルの形状を規定することができる。ただし、図１９はセルの骨格形状を示すもので、溝（６）、隙間（８）、及び交差部近傍の画素の土手幅を狭くした形状（１１）は図示していない。
【００８５】
角度（１８）は直線状に連なる土手と交差する土手が交わる鋭角部の角度（１８）である。線数は1インチ当たり1画素が幾らあるかを示すもので、本発明においては１インチを直線状に連なる土手幅（２）とそれに並ぶセル幅（１３）の合計幅の長さで割った数を線数と呼ぶものであり、従って線数は直線状に連なる土手（１）の垂直方向についての線数だけを規定するものである。交差する土手のついては線数で規定するものではなく、後で説明するピッチでの規定となる。
【００８６】
線比は、直線状に連なる土手の幅（２）とそれに並ぶセル幅（１３）の比を示し、1例として線比〔直線状に連なる土手の幅（２）：セル幅（１３）〕が１：４と表現しこれを規定するものである。
【００８７】
土手幅は、直線状に連なる土手（１）と交差する土手（４）の２つの土手があり直線状に連なる土手の幅（２）と交差する土手の幅（５）を規定するものである。
【００８８】
ピッチは、直線状に連なる土手（１）の１画素ピッチ（Ｄ）（直線状に連なる土手の間隔）に対して該ピッチに垂直方向での交差する土手の１画素ピッチ（Ｅ）（直線状に連なる土手に平行な方向における交差する土手の間隔）を本発明のピッチとし、ピッチを規定するものである。
【００８９】
ここまで記載した、本第１発明から本第５発明は、新たなセル形状を創造したものであるが、従来使用されてきた、１画素の４辺が同じ長さの正方形又は菱形の形状で構成されるダイレクト網グラビア印刷版においても、土手の交差する交点部が腐食によりＲ形状となり、インキレベリングを阻害していたが、該部分の画素形状を改善変更することで該部分のインキレベリング性は改善され、意匠表現性を向上するだけでなくセルを構成する土手の幅を広くすることができドクター刃の摩耗を低減することができた。本内容を第６発明として次に記載する。
【００９０】
本第６発明のグラビア印刷版は、ダイレクト網グラビア印刷版の版面に設けられる画線部となるセルにおいて、該セルの形状又は該セルを形成する土手を含む１画素の形状が４辺からなる２辺の長さの等しい正方形又は円周方向に土手交点の鋭角部を持つ菱形で、前記セルを形成する土手を含む1画素の交差する２辺に沿って土手は設けられ、前記1画素の土手が交わる円周方向に位置する２カ所の土手交点部近傍の土手形状を任意に変え前記土手交点部近傍の腐食不足により形成されるセル形状を前記正方形又は前記菱形に近い形状に若しくは土手交点部を土手が交わる中心部に向かい伸ばした形状にする、及び前記1画素の土手が交わるグラビア印刷版の幅方向に位置する２カ所の土手交点部近傍の土手形状を任意に変え前記土手交点部近傍のセル幅を狭くする、の何れか一方又は両方を設けることを特徴とする。
【００９１】
本発明は汎用的に使用されるダイレクト網グラビア印刷版の版面に設けられる画線部となるセルにおいて、該セルの形状又は該セルを形成する土手を含む１画素の形状が４辺からなる２辺の長さの等しい正方形又は円周方向に土手交点の鋭角部を持つ菱形の画素を、腐食液を使用するすることでセルを形成するが、腐食液の供給交換が良い中央部と比較し画素の四隅は新鮮な腐食液が供給されにくいため、セルの四隅のサイドエッチングは少なくＲ状の形状となる。
【００９２】
このＲ部により、土手の交点部はインキのレベリングが悪くなり、１００％濃度から８０％濃度部の高濃度部において、交点部でインキは交わりレベリングすることとなるが、８０％以下の濃度領域においてインキレベリングは不安定になり、視覚的にインキレベリングした部分は印刷部の濃度は濃く、インキレベリング部が良くない部分は印刷部の濃度は淡くなる。グラデーションの絵柄のおいて、この境目で印刷濃度差が出来ることを、通称ジャンピングと呼ばれる。これを防止するために、グラデーション絵柄を２色で表現するなどの方法が取られる。
【００９３】
また、土手幅を狭くすることで淡色部分までレベリングを良くする工夫がされることもあるが、土手幅が狭いことにより欠点であるドクター刃の摩耗をしやすくすることとなる。
【００９４】
本第６発明は、土手の交点部のインキレベリングを良くするものであり、グラデーション絵柄の再現性だけでなく、カラー絵柄のシズル感（調子再現性）も良好にするものである。
【００９５】
土手の交点部のインキレベリングを良くするために、1画素の交差する２辺に沿って設けられる土手において、1画素の土手が交わる円周方向に位置する２カ所の土手交点部近傍の土手形状を任意に変え前記土手交点部近傍の腐食不足により形成されるセル形状を正方形又は菱形に近い形状に若しくは土手交点部を土手が交わる中心部に向かい伸ばした形状にするものである。
【００９６】
これにより、土手幅を広くし、セル面積を小さくしてもカラー絵柄の再現性を低下させることがないため、ドクター刃の摩耗を少なくすることができ安定したグラビア印刷とすることができる。
【００９７】
また、1画素の土手が交わるグラビア印刷版の幅方向に位置する２カ所の土手交点部近傍の土手形状を任意に変え前記土手交点部近傍の土手幅を広くすることにより、該部分の最大セル幅を狭くし、ドクター刃のタワミを少なくすることで土手からセルへの落ち込みエッジ部でのドクター刃の摩耗を少なくすることができる。この場合、グラビア印刷版の幅方向の土手幅は広く待っており、先に溝幅として上限６０ミクロンと記載したが、本第６発明においては、より広い溝幅で任意に決めることができる。
【００９８】
本発明に使用できるセル形状として、従前使用されている線比（１：３、１；３．５、１：４、１：５、１：６等）、線数（１００線１２５線、１５０線、１７５線、２００線、２５０線、３００線等）のグラビア印刷版に適用することができる。
【００９９】
本発明の汎用的に使用される正方形のセル形状を示した図１の下部の土手交点部を拡大し、本発明の1画素の土手が交わる交点部の中心部に円形又は楕円形の非画線部を設けること、又は前記1画素の土手が交わる円周方向に位置する１カ所又は２カ所の土手交点部近傍の土手形状を任意に変え前記土手交点部近傍の腐食不足により形成されるセル形状を平行四辺形に近くすることについて、図２０から図２３及び図２６から図２８を持って説明を行う。図２０から図２３及び図２６から図２８において、太実線は画素の形状エッジ（１４）を、太１点破線は腐食後の土手エッジ（１５）を示すものである。  
【０１００】
図２０は、円周方向に位置する２カ所の土手交点部近傍の土手形状を任意に変え前記土手交点部近傍の腐食不足により形成されるＲ部をなくし極力画素の形状である正方形を保つこと、更に交点部の中央にインキを転移することができる凹部を設けることで交点部分のインキレベリングを良くすしたものである。グラビア印刷版の幅方向の２カ所の交点部のＲを小さくすることは、ドクター刃を跨ぐセル幅を広くすることとなりドクター刃の摩耗を激しいものとするため好ましくない。
【０１０１】
図２０においては、Ｒ部の形状と交点部の中央の凹部を併用したが、どちらか一方でも良い。これにより、交点部のインキのレベリングは良好になる為交差する土手の幅を少しでも広くすることができ、セル幅を狭くすることでドクター刃の摩耗を少なくすることができる。
【０１０２】
図２０は１００％濃度の概念図であるが、％濃度が小さくなる場合は土手交点部近傍の土手形状は、１００％濃度と相似形の形状で有れば良く、また交点部の中央にインキを転移することができる楕円形の凹部は、％濃度の範囲を決めて同じ大きさで設ければ良い。尚、インキを転移することができる楕円形の凹部の大きさは、目視により判別でる５％濃度程度の最小転移可能な大きさで、１００％濃度部から５０％濃度部の範囲で好ましくは１００％濃度部から７０％濃度の範囲で設けることとすればよい。
【０１０３】
図２１は、図２０の交点部の中央の凹部を円周方向に長手の楕円形とすることで、腐食により円周方法に並ぶセルが土手交点部でつながるものである。これにより、交点部のインキのレベリングは良好になる為交差する土手の幅を少しでも広くすることができ、セル幅を狭くすることでドクター刃の摩耗を少なくすることができる。
【０１０４】
図２１についても、図２０と同様に濃度％が小さくなる場合は土手交点部近傍の土手形状は、１００％濃度と相似形の形状で有れば良く、また交点部の中央にインキを転移することができる楕円形の凹部は、％濃度の範囲を決めて同じ大きさで設ければ良い。
【０１０５】
図２２は、１００％濃度部の円周方向に位置する２カ所の土手交点部近傍の土手形状を任意に変え前記土手交点部近傍の腐食不足により形成されるＲ部をなくし、土手の先端を土手交点の中央部まで伸ばし、腐食により中央部で円周方向に連なるセルが繋がるようにしたものである。％濃度が小さくなる場合は土手交点部近傍の土手形状は、１００％濃度と相似形の形状で有れば良く先端の幅（１６）が広ければ、サイドエッチングにより％濃度が小さくても円周方向に連なるセルは繋がり易くなり小さな濃度％までインキのレベリングは良くなる。
【０１０６】
図２３は、円周方向に位置する１カ所の土手交点部近傍の土手形状を変え前記土手交点部近傍の腐食不足により形成されるＲ部をなくし極力画素の形状である正方形を保つことと交点部の中央にインキを転移することができる凹部をつなげることで交点部分のインキレベリングを良くすしたものである。図２３は、１００％濃度の土手交点部の形状を示しているが、濃度％が小さくなる場合は土手交点部近傍の土手形状は、１００％濃度と相似形の形状で小さくなれば良い。ただ、ドクター刃でのインキの掻き落としは、図の上部から下部の方向が好ましい。
【０１０７】
図２６は、１００％濃度部の円周方向に位置する２カ所の土手交点部近傍の土手形状を任意に変え前記土手交点部近傍の腐食不足により形成されるＲ部をなくし、土手の先端を土手交点の中央部を越えて感光膜の未露光部を伸ばし、中央部で円周方向に連なる下部から伸びる感光膜の未露光部と重なることでセルを■げることができる。
【０１０８】
また、１００％濃度から％濃度が小さくなるに従い重なる部分は少なくなり所望の％濃度で重なる部分はなくなり、セル間のインキは繋がることがなくなりセルインキは単独で画像を形成することとなる。
【０１０９】
また、グラビア印刷版の幅方向に位置する２カ所の土手交点部近傍の土手形状を任意に変え大きなＲ部（２１）することで、セルの最大幅を狭くしドクター刃のタワミ変化を少なくしてドクター刃の摩耗を低減することが出来る。
【０１１０】
図２７に、１画素のセル形状を示す。図２７において、正方形の１画素から上部で突出いた部分は、１画素内に含ませる必要がある。含ませなければ、隣接する画素の露光により所望の画素を設けることはできない。この点については第７発明において説明を加える。
【０１１１】
本第６発明においては、汎用的に使用される正方形のセル形状を持つダイレクト網グラビア印刷版においても、土手が交差し腐食によりＲ部を形成する点を改善できることでインキのレベリングが良くなり意匠性の向上を図れると共にドクター刃の摩耗を低減できる土手幅の広いグラビア印刷版とすることができる。
【０１１２】
第７発明である網点の作成方法として、第１発明から第６発明に記載のダイレクト網グラビア印刷版の版面に設けられる１画素を構成する画線部となるセル及び非画線部となる土手において、変化する画像の濃度情報をダイレクト網グラビア印刷版の網点の濃度情報に変換するために、１００％濃度から５０％濃度の範囲以内で同一の溝幅を有する画線部となる溝を前記土手に形成するに際し、又は前記画像の濃度によるセルサイズの変化に対応させて前記溝幅のサイズを変化させた溝を前記土手に形成するに際し、前記一画素内からはみでる前記溝の部分を、１画素内の前記土手内に分散させることを特徴とする。
【０１１３】
本第１発明から第６発明は、グラビア印刷版に絵柄を設けるセル形状において、土手で囲われた１画素のセルを形成するのではなく、セルから転写されるインキをインキのレベリングを良好にし、更にドクターの摩耗を少なくするセル形状にするものであり、ダイレクト網グラビア印刷版の版面に設けられる画線部となるセル形状は、連続的変化する画像の濃度情報を、ダイレクト網グラビア印刷版に用いる濃淡を表現する網点による濃度情報とするための変換方法が必要となる。
【０１１４】
本第１発明から第６発明の１画素を形成する変換方法に関しては、具体的に次の３点を考慮することが必要である。
［１］土手部に設けれれる画線部となる溝が１００％濃度から５０％濃度部において所望の範囲以内で同一の溝幅を有する溝形状を形成すること、所望のの範囲以外においては溝がない状態としライト部での意匠性を阻害しないようにする。
［２］濃度情報によるセルサイズの変化に対応し土手に形成される溝幅が変化する溝形状を形成することで、１００％濃度で土手に設けられる溝は、セル寸法が小さくなるに従い溝の幅は相応して小さくなり、溝は土手幅全域に設けられていようにする。このようにすることで、％濃度が低くなれば溝は狭くなりインキ転移はしなくなる。
［３］前記［１］［２］において、１画素内で溝を形成しるものもあるが、隣接する画素に連なり突出する部分を有し溝を形成するものについては、隣接する画素の含め溝形状を構成する突出する部分を分割して１画素内に設け所望の溝形状を形成する。
【０１１５】
本第１発明から第６発明のセル形状は、［１］から［３］に記載した３点を用いることで、グラビア印刷においてインキレベリングの良好なものとすることができる。次に図を持って［１］から［３］について説明を加える。
【０１１６】
図２において、溝（６）の一部は隣接する画素に及んでいる。該部分をグレー色で示したが１画素内に取り込むため太黒矢印で示した右上の土手角部に移植し一部カットした状態としている。これにより溝は直線状に連なる土手上に同じ溝幅を持って形成することができる。図の右に、１画素図の左下の鋭角部の拡大図を示す。
【０１１７】
また、溝は先に記載した［１］により設ける場合は所望の濃度範囲において同じ土手幅で設ければ良く、［２］により設ける場合は％濃度によりセル寸法が小さくなれば溝幅も狭くすることで溝にインキが充填転写されなくなりインキレベリングの働きはなくなる。
【０１１８】
図６において、直線状に連なる土手に設ける溝（６）の一部は隣接する画素に及んでいる。該部分をグレー色で示したが１画素内に取り込むため太黒矢印で示した右上の土手角部に移植し一部カットした状態としている。これにより溝は直線状に連なる土手上に所望の溝を形成することができる。
【０１１９】
また、溝は先に記載した［１］により設ける場合は所望の濃度範囲において同じ土手幅で設ければ良く、［２］により設ける場合は％濃度によりセル寸法が小さくなれば溝幅も狭くすることで溝にインキが充填転写されなくなりインキレベリングの働きはなくなる。
【０１２０】
図９において、直線状に連なる土手に設ける溝（６）の一部は隣接する２画素の鈍角部に及んでいる。右に示す該部分の拡大図のグレー色の部分は１画素内の左右２カ所の鈍角部の土手に移植し１画素を形成すればよい。図２０から図２２においても、グレー色で示した部分は１画素内の左右２カ所の鈍角部の土手に移植し１画素を形成すればよい。
【０１２１】
図２４は、（００６８）（００６９）項で説明したが、％濃度が低くなりセル面積が小さくなるのに対応し黒く塗り潰した溝の重なる部（１７）は小さくなり、更にセルが小さくなれば重なり部（１７）はなくなる。従って［２］と［３］により、直線状に連なる土手をまたぐセルのインキレベリングの％濃度範囲を重なり部の長さで調整することができる。
【０１２２】
図２５は、１画素図を示すが、セル形状は１画素から突出しており、グレー色で示した該突出した部分を１画素内に分割し割り振ることとなる。後出の図２８で突出した部分の分割、割り振りのついて説明をする。
【０１２３】
図２８は、図２７に示した１画素より所望のセル形状の一部が突出いた部分を有し、該突出いた部分を切り分け１画素に取り込む方法について説明した図である。（先に記述した図２４、図２５についても同様である。）
【０１２４】
図２８において、突出いた部分を切り出し右上に拡大図として示し突出いた部分を３パーツに分割した図である。３パーツは図に示す太矢印で１画素の３ヵ所の土手部に移動しそれぞれの画線部（感光膜の未露光部）とすればよい。下部の土手部においてはセル部から延びる画線部と土手コーナー部から延びる画線部を合算して画線部となるようデーターの処理を行えばよい。こうすることで、円周方向のセルを溝を持って連結することができ、また１００％濃度から％濃度を小さくする場合は、セルを小さくするのと同じ比率で土手のコーナー部の形状を小さくする［２］の方法を取り入れてもよい。
【０１２５】
また［１］の方法により、％濃度が低くなり１画素のセル面積が小さくなっても土手部の溝の大きさを変えず所望の％濃度範囲を決め、範囲外において土手部に溝を形成しないようにしてもよい。
【０１２６】
この様にすることで、所望の％濃度まで下部の土手部において、上下に隣接するセルを溝により連結することができインキレベリングが良好なダイレクト網グラビア印刷版とすることができる。また、突出部を長くすれば、セルを溝により連結する％濃度をより低く設けることができる。図２６，２７，２８において突出部を台形の形状としたが長方形としてもよく、図２８においてはグラビア印刷版の幅方向の１画素コーナー部にセル幅を狭くするため土手に塗足し部を設けており、円周方向の１画素コーナー部の土手幅は広くなるため突出部の幅を広くすることもできる。
【０１２７】
以上の説明においては、１画素内の交差する２辺に土手部を設ける例で説明をしたが、１画素の周囲４辺に土手を設け、中央部にセルを配置してなる１画素であっても本発明と同等の方法で網点への変換を行うことができる。
【発明の効果】
【０１２８】
本発明のグラビア版を用いることにより、ドクターの摩耗を少なくすることができ、またドクター摩耗によるドクター起因の摩耗片、摩耗粉がなくなり、もしくは減少し、印刷品質の向上が図れる。印刷職場における副材料であるドクター使用量が減少し収益の向上にもつながる。
【０１２９】
また、本発明のグラビア版は、平行四辺形のセルを配置することでカラー絵柄の印刷においても１００％濃度のセル表面積を、汎用的に使用されている正方形セル表面積と同じにして、ダイレクト製版による網点で階調表現をすることで、ドクターの摩耗を少なく印刷品質の向上した印刷方法とすることができる。また、汎用的に使用されている正方形セルにおいても、上下に隣接するセルを溝により連結、更にセル幅を狭くすることで同様の効果を得ることができる。
【図面の簡単な説明】
【０１３０】
【図１】汎用的な１７５線  線比１：４の１画素拡大平面図
【図２】本発明の直線状に連なる土手が２２０線  線比１：３の１画素拡大平面図
【図３】図１を使用したグラビア印刷版の表面に画素を形成した拡大平面図
【図４】図２を使用したグラビア印刷版の表面に画素を形成した拡大平面図
【図５】図４の交差する土手を直線に配置しないグラビア印刷版の別な拡大平面図
【図６】本発明の直線状に連なる土手が２２０線  線比１：３の別な１画素拡大平面図
【図７】図６を使用したグラビア印刷版の表面に画素を形成した拡大平面図
【図８】図７の交差する土手を直線に配置しないグラビア印刷版の別な拡大平面図
【図９】鋭角に交わる交点部のエッチング状態の拡大概念図
【図１０】鋭角に交わる交点部のエッチング状態の別な拡大概念図
【図１１】鋭角に交わる交点部のエッチング状態の別な拡大概念図
【図１２】発明の直線状に連なる土手が２２０線  線比１：３の別な１画拡大平面素図
【図１３】図１１を使用したグラビア印刷版の表面に画素を形成した拡大平面図
【図１４】図１２の断面及び斜視拡大概念図
【図１５】図１１の別な隣接するセルを繋ぐ溝を設けた断面及び斜視拡大概念図
【図１６】本発明の別な１画素を配列させた集合拡大平面図
【図１７】本発明の別な１画素を配列させた集合拡大平面図
【図１８】本発明の別な１画素を配列させた集合拡大平面図
【図１９】本発明の用語説明（線数、線比、土手幅、ピッチ）ための１画素例の図
【図２０】土手交点部近傍の土手形状を示す拡大概念図
【図２１】土手交点部近傍の土手形状を示す別な拡大概念図
【図２２】土手交点部近傍の土手形状を示す別な拡大概念図
【図２３】土手交点部近傍の土手形状を示す別な拡大概念図
【図２４】土手交点部近傍の土手形状を示す別な拡大概念図
【図２５】図２４の１画素のセル部形状図
【図２６】本発明の正方形セルの土手交点部の拡大概念図
【図２７】図２６のセル外観図
【図２８】１画素から突出した画線部を１画素内に分割し割り振る方法を示す図
【発明を実施するための形態】
【実施例１】
【０１３１】
図１（図３）の汎用的に使用されているダイレクト網グラビア版（１７５線線比１対４）と図２（図４）の本発明のダイレクト網グラビア版（２２０線線比１対３）の２版を作製し、ドクター（セラメッキドクター）の摩耗比較を行った。版幅１１００ｍｍ版円周７００ｍｍの版を使用し、絵柄は版の中央部に７００ｍｍ幅で１００％濃度のベタ柄を設け版深は２５ミクロンとした。尚、図１、図２のセル形状のグラビア印刷版の土手面積・セル面積を同一にした。
【０１３２】
グラビア印刷は、ウレタン系インキの白インキを使用しインキ粘度はザンカップ＃３で１６秒とし、ドクター加圧は１ｋｇとし、印刷速度２００ｍ／分とした。ドクターの摩耗は、印刷前のドクターの長さを測定しておき５００００ｍ印刷後の測定を行い、ドクターの摩耗を比較した結果、汎用的に使用されているダイレクト網グラビア版はドクターが０，７ｍｍ摩耗していたのに対し、本発明のダイレクト網グラビア版においては、０，３ｍｍの摩耗であった。
【０１３３】
図４に示す対角線上のセルを連結する溝は、幅２０ミクロン深さ４ミクロンの溝を設けた。
【０１３４】
印刷物における、白インキの着肉状態を比較するために、白インキ面に黒色のセロハンテープを貼りフィルム面よりインキの濃度、インキの泳ぎ（外観）を比較したが、全く差がなかった。
【実施例２】
【０１３５】
図３の汎用的に使用されているダイレクト網グラビア版（１７５線線比１対４）と図７の本発明のダイレクト網グラビア版（２２０線線比１対３）の２版を作製し、ドクター（セラメッキドクター）の摩耗比較を行った。版幅１１００ｍｍ版円周６００ｍｍの版を使用し、絵柄は版の中央部に、１００％濃度のベタ柄３００ｍｍ（幅）×１５０ｍｍ（円周方向）と９０％濃度のベタ柄３００ｍｍ（幅）×１５０ｍｍ（円周方向）を設けで柄間は５０ｍｍの間隔を設けた。１００％濃度のベタ柄の版深は２６ミクロンとした。尚、図３、図７のセル形状のグラビア印刷版の土手面積・セル面積を同一にした。
【０１３６】
図７の１００％濃度のベタ柄においては、セルの交点部に２０ミクロンの円形部深さ４ミクロンで直線状に連なる土手の中央部に１５ミクロン深さ３ミクロンの溝を設けた。９０％濃度のベタ柄においても、セルの交点部に２０ミクロンの円形部深さ４ミクロンで直線状に連なる土手の中央部に１５ミクロン深さ３ミクロンの溝を設けた。
【０１３７】
グラビア印刷は、ウレタン系インキの墨インキを使用しインキ粘度はザンカップ＃３で１６秒とし、ドクター加圧は１ｋｇとし、印刷速度２００ｍ／分とした。ドクターの摩耗は、印刷前のドクターの長さを測定しておき５００００ｍ印刷後のドクターの長さ測定を行い、ドクターの長さ比較することで摩耗を確認した。結果は、１００％濃度部で汎用的に使用されているダイレクト網グラビア版はドクターが０，７ｍｍ摩耗していたのに対し、本発明のダイレクト網グラビア版においては、０，２５ｍｍの摩耗、９０％濃度部で汎用的に使用されているダイレクト網グラビア版はドクターが０，６ｍｍ摩耗していたのに対し、本発明のダイレクト網グラビア版においては、０，２ｍｍの摩耗であった。
【０１３８】
印刷物における、墨インキの着肉状態を１００％濃度部、９０％濃度部で印刷物の濃度、インキの泳ぎ（外観）を比較したが、差がなかった。
【実施例３】
【０１３９】
図１の１画素図と本発明の図２８の１画素図からなる、１００％濃度のベタ版を作製しドクター刃の摩耗状態とインキのレベリング状態を比較した。グラビア印刷は、ウレタン系インキの白インキを使用しインキ粘度はザンカップ＃３で１６秒とし、ドクター加圧は１ｋｇとし、印刷速度２００ｍ／分とした。ドクターの摩耗は、印刷前のドクターの長さを測定しておき５００００ｍ印刷後のドクターの長さ測定を行い、ドクターの長さ比較することで摩耗を確認した。
【０１４０】
ドクター刃の摩耗は、図１の１画素図を使用したダイレクト網グラビア版では０，８ｍｍ摩耗していたのに対し、本発明のダイレクト網グラビア版においては、０，３ｍｍの摩耗であった。また、インキのレベリング状態は、本発明のダイレクト網グラビア版が平滑に印刷されており、白濃度にムラがなかった
【符号の説明】
【０１４１】
Ａ  １画素のセル部
Ｂ  １画素の土手部
Ｃ  サイドエッチング部
Ｄ  １画素の直線状に連なる土手のピッチ
Ｅ  １画素の交差する土手のピッチ
１  直線状に連なる土手
２  直線状に連なる土手の幅
３  セルの最大幅
４  交差する土手
５  交差する土手の幅
６、溝
７  １画素の鋭角部
８ （ 直線状に連なる土手と交差する土手との）隙間
９  鋭角に交差する部分
１０  セルの端部
１１  交差部近傍の画素の土手幅を予め狭くした形状
１２  （１１の形状を腐食した）セルの端部
１３  セル幅
１４  画素の形状エッジ
１５  食後の土手エッジ
１６  先端の幅
１７  溝が重なる部分
１８  鋭角に交差する部分の角度
１９  １画素
２０  １画素外の非露光部（画線部）
２１  大きなＲ部（グラビア版幅方向のＲ部）
【図１】
2019064245.tif 000003
【図２】
2019064245.tif 000004
【図３】
2019064245.tif 000005
【図４】
2019064245.tif 000006
【図５】
2019064245.tif 000007
【図６】
2019064245.tif 000008
【図７】
2019064245.tif 000009
【図８】
2019064245.tif 000010
【図９】
2019064245.tif 000011
【図１０】
2019064245.tif 000012
【図１１】
2019064245.tif 000013
【図１２】
2019064245.tif 000014
【図１３】
2019064245.tif 000015
【図１４】
2019064245.tif 000016
【図１５】
2019064245.tif 000017
【図１６】
2019064245.tif 000018
【図１７】
2019064245.tif 000019
【図１８】
2019064245.tif 000020
【図１９】
2019064245.tif 000021
【図２０】
2019064245.tif 000022
【図２１】
2019064245.tif 000023
【図２２】
2019064245.tif 000024
【図２３】
2019064245.tif 000025
【図２４】
2019064245.tif 000026
【図２５】
2019064245.tif 000027
【図２６】
2019064245.tif 000028
【図２７】
2019064245.tif 000029
【図２８】
2019064245.tif 000030
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記直線状に連なる土手を挟む１００％濃度部から５０％濃度部より選択された範囲の画線部となる  ２個のセルが溝により連結され、該溝が前記1画素の直線状に連なる土手に一箇所以上設けられており、前記直線状に連なる土手と交差する土手は、該直線状に連なる土手の土手幅未満の土手幅で任意の角度で設けられており、前記画線部となるセルが形成されていることを特徴とするグラビア印刷版。
【請求項２】
ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記1画素の直線状に連なる土手においては、該直線状に連なる土手の幅方向の中央部に任意の形状の溝が一箇所以上設けられ、前記直線状に連なる土手と交差する土手は、該直線状に連なる土手の土手幅未より狭い土手幅で任意の角度で設けられていることを特徴とするグラビア印刷版。
【請求項３】
ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記1画素の直線状に連なる土手と交差する土手が鋭角に交わる２カ所において、土手交点部近傍の土手形状を任意に変え、前記土手交点部近傍の腐食不足により形成されるセル形状を平行四辺形に近くしたこと、又は平行四辺形の鋭角部に土手交点の中心部に向かう溝を設けたこと、更には前記２点を併用したことを特徴とするグラビア印刷版。
【請求項４】
前記各画素を通る直線状に連なる土手に交差する土手には、前記直線状に連なる土手との間に隙間が設けられ、該隙間により交差する土手の幅は９０％から７０％の幅とし、更に該交差する土手は任意の形状で、前記画線部となるセルが形成されていることを特徴とする請求項１、請求項２、及び請求項３のグラビア印刷版。
【請求項５】
前記直線状に連なる土手の線数が１インチ間に１００線から３００線で、前記直線状に連なる土手幅とセル幅の線比は１対２から１対６で、前記直線状に連なる土手と交差する土手の土手幅は前記直線状に連なる土手の土手幅の０．１倍から１倍未満で、前記直線状に連なる土手に直交する１画素ピッチに対して前記交差する土手のピッチが０．５倍から５倍の１画素ピッチであることを特徴とする請求項１、請求項２、請求項３、又は請求項４のグラビア印刷版。
【請求項６】
ダイレクト網グラビア印刷版の版面に設けられる１画素の形状が４辺からなる２辺の交わる長さが等しい正方形又は円周方向に土手交点の鋭角部を持つ菱形で、セルを形成する土手を含む１画素の交差する２辺に沿って土手を設けた形状をもとに、腐食により形成されるセル形状に対して、前記1画素の土手が交わるグラビア印刷版の円周方向に位置する２カ所の土手交点近傍の土手形状を任意に変え腐食により形成されるＲ状の前記土手交点近傍のセル形状を正方形又は菱形に近いＲ状のセル形状に、若しくは前記土手交点の中心部に向う溝を設けたセル形状にした、又は／及び、前記1画素の土手が交わるグラビア印刷版の幅方向に位置する２カ所の土手交点近傍の土手形状を任意に変え腐食により形成される前記土手交点近傍のセル形状を大きなＲ状としセルの幅方向の幅が狭いセル形状にした、グラビア印刷版。
【請求項７】
請求項１から６の何れかに記載のダイレクト網グラビア印刷版の版面に設けられる１画素を構成する画線部となるセル及び非画線部となる土手において、変化する画像の濃度情報をダイレクト網グラビア印刷版の網点の濃度情報に変換するために、１００％濃度から５０％濃度の範囲以内で同一の溝幅を有する画線部となる前記溝を前記土手に形成するに際し、又は前記画像の濃度によるセルサイズの変化に対応させて前記溝幅のサイズを変化させた前記溝を前記土手に形成するに際し、前記一画素内からはみでる前記溝の部分を、１画素内の前記土手内に分散させることを特徴とする網点の作成方法。
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記直線状に連なる土手を挟む１００％濃度部から５０％濃度部より選択された範囲の画線部となる  ２個のセルが溝により連結され、該溝が前記1画素の直線状に連なる土手に一箇所以上設けられており、前記直線状に連なる土手と交差する土手は、該直線状に連なる土手の土手幅未満の土手幅で任意の角度で設けられており、前記画線部となるセルが形成されていることを特徴とするグラビア印刷版。
【請求項２】
ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記1画素の直線状に連なる土手においては、該直線状に連なる土手の幅方向の中央部に任意の形状の溝が一箇所以上設けられ、前記直線状に連なる土手と交差する土手は、該直線状に連なる土手の土手幅未より狭い土手幅で任意の角度で設けられていることを特徴とするグラビア印刷版。
【請求項３】
ダイレクト網グラビア印刷版の版面に設けられる画線部となるセルにおいて、該セルの形状又は該セルを形成する土手を含む１画素の形状が４辺からなる２辺の長さの異なる平行四辺形で、前記セルを形成する土手を含む1画素の交差する２辺に沿って土手は設けられ、該２辺の土手の一つが隣接する画素の一つの土手と直線状に連り、前記1画素の直線状に連なる土手と交差する土手が鋭角に交わる２カ所において、土手交点部近傍の土手形状を任意に変え、前記土手交点部近傍の腐食不足により形成されるセル形状を平行四辺形に近くしたこと、又は平行四辺形の鋭角部に土手交点の中心部に向かう溝を設けたこと、更には前記２点を併用したことを特徴とするグラビア印刷版。
【請求項４】
前記各画素を通る直線状に連なる土手に交差する土手には、前記直線状に連なる土手との間に隙間が設けられ、該隙間により交差する土手の幅は９０％から７０％の幅とし、更に該交差する土手は任意の形状で、前記画線部となるセルが形成されていることを特徴とする請求項１、請求項２、及び請求項３のグラビア印刷版。
【請求項５】
前記直線状に連なる土手の線数が１インチ間に１００線から３００線で、前記直線状に連なる土手幅とセル幅の線比は１対２から１対６で、前記直線状に連なる土手と交差する土手の土手幅は前記直線状に連なる土手の土手幅の０．１倍から１倍未満で、前記直線状に連なる土手に直交する１画素ピッチに対して前記交差する土手のピッチが０．５倍から５倍の１画素ピッチであることを特徴とする請求項１、請求項２、請求項３、又は請求項４のグラビア印刷版。
【請求項６】
ダイレクト網グラビア印刷版の版面に設けられる１画素の形状が４辺からなる２辺の交わる長さが等しい正方形又は円周方向に土手交点の鋭角部を持つ菱形で、セルを形成する土手を含む１画素の交差する２辺に沿う土手を設けた形状において、腐食により形成されるセル形状に対し、前記1画素の土手が交わる円周方向に位置する２カ所の土手交点近傍の土手形状を任意に変え、腐食により形成される前記土手交点近傍のＲ状のセル形状を正方形又は菱形に近い小さなＲ状のセル形状にした、若しくは前記土手交点の中心部に向かって伸びる溝を設け溝幅を６０ミクロン以下の溝を有するセル形状にした又は前記土手交点の中心部に達し円周方向に位置する前記土手交点を直線状に貫く溝幅を６０ミクロン以下の溝を有するセル形状にした、又は／及び、前記1画素の土手が交わるグラビア印刷版の幅方向に位置する２カ所の土手交点近傍の土手形状を任意に変え、腐食により形成される前記土手交点近傍のＲ状セル形状をより大きなＲ状としグラビア印刷版の幅方向のセル幅を狭いセル形状にした、グラビア印刷版。
【請求項７】
請求項１から６の何れかに記載のダイレクト網グラビア印刷版の版面に設けられる１画素を構成する画線部となるセル及び非画線部となる土手において、変化する画像の濃度情報をダイレクト網グラビア印刷版の網点の濃度情報に変換するために、１００％濃度から５０％濃度の範囲以内で同一の溝幅を有する画線部となる前記溝を前記土手に形成するに際し、又は前記画像の濃度によるセルサイズの変化に対応させて前記溝幅のサイズを変化させた前記溝を前記土手に形成するに際し、前記一画素内からはみでる前記溝の部分を、１画素内の前記土手内に分散させることを特徴とする網点の作成方法。